【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
ユーザＩＤをユーザ端末から受信して認証し、撮像装置が被写体を撮影することにより得られた画像ファイルを前記ユーザ端末からネットワークを介して受信する情報管理装置であって、
前記ユーザＩＤを前記撮像装置に関する製品情報と関連付けて管理する管理手段と、
前記製品情報を前記画像ファイルの属性情報から取得する取得手段と、
前記取得手段により取得された製品情報が、前記管理手段により既に前記ユーザＩＤと関連付けて管理されているか否か判定する判定手段とを備え、
前記管理手段は、前記取得手段により取得された製品情報が前記管理手段により未だ前記ユーザＩＤと関連付けて管理されていないと前記判定手段により判定されたときに、前記ユーザＩＤをさらに前記取得手段により取得された製品情報と関連付けて管理することを特徴とする情報管理装置。
【請求項２】
前記画像ファイルに対する印刷指示を前記ユーザ端末から受信する印刷指示受信手段と、
前記画像ファイルを前記ユーザ端末へダウンロードするダウンロード手段と、
前記画像ファイルの印刷結果を前記ユーザ端末から受信する印刷結果受信手段とを備え、
前記取得手段は、前記画像ファイルを印刷した印刷装置に関する製品情報を前記印刷結果から取得し、
前記管理手段は、前記ユーザＩＤを、さらに前記印刷装置に関する製品情報と関連付けて管理することを特徴とする請求項１記載の情報管理装置。
【請求項３】
前記判定手段が、前記取得手段により取得された製品情報が前記管理手段により未だ前記ユーザＩＤと関連付けて管理されていないと判定したとき、前記製品情報を前記ユーザ端末へ通知する通知手段と、
前記ユーザ端末からの指示にしたがって、前記管理手段が前記ユーザＩＤをさらに前記通知手段により通知された製品情報と関連付けて管理するか否かを選択する選択手段とをさらに備え、
前記管理手段は、前記選択手段が前記ユーザＩＤをさらに前記通知手段により通知された製品情報と関連付けて管理すると選択したとき、前記ユーザＩＤを、さらに前記製品情報と関連付けて管理することを特徴とする請求項１又は２に記載の情報管理装置。
【請求項４】
前記製品情報を前記ユーザ端末から受信する製品情報受信手段とをさらに備え、
前記管理手段は、前記ユーザＩＤを、さらに前記製品情報受信手段により受信された製品情報と関連付けて管理することを特徴とする請求項１乃至３のいずれか１項に記載の情報管理装置。
【請求項５】
前記管理手段により管理された製品情報にしたがって所定の情報を前記ユーザ端末へ提供する提供手段とをさらに備えたことを特徴とする請求項１乃至４のいずれか１項に記載の情報管理装置。
【請求項６】
前記管理手段により管理された製品情報にしたがって前記ユーザ端末から受信される前記画像ファイルの容量を制限する制限手段とをさらに備えたことを特徴とする請求項１乃至５のいずれか１項に記載の情報管理装置。
【請求項７】
前記画像ファイルの属性情報は前記ユーザＩＤを含むことを特徴とする請求項１乃至６のいずれか１項に記載の情報管理装置。
【請求項８】
ユーザＩＤをユーザ端末から受信して認証し、撮像装置が被写体を撮影することにより得られた画像ファイルを前記ユーザ端末からネットワークを介して受信する情報管理装置の制御方法であって、
前記ユーザＩＤを前記撮像装置に関する製品情報と関連付けて管理する管理ステップと、
前記製品情報を前記画像ファイルの属性情報から取得する取得ステップと、
前記取得ステップにおいて取得された製品情報が、前記管理ステップにおいて既に前記ユーザＩＤと関連付けて管理されているか否か判定する判定ステップとを備え、
前記管理ステップは、前記取得ステップにおいて取得された製品情報が前記管理ステップにおいて未だ前記ユーザＩＤと関連付けて管理されていないと前記判定ステップにおいて判定されたときに、前記ユーザＩＤをさらに前記取得手段により取得された製品情報と関連付けて管理することを特徴とする情報管理装置の制御方法。
【請求項９】
ユーザＩＤをユーザ端末から受信して認証し、撮像装置が被写体を撮影することにより得られた画像ファイルを前記ユーザ端末からネットワークを介して受信する情報管理装置の制御方法をコンピュータに実行させるためのプログラムであって、
前記情報管理装置の制御方法は、
前記ユーザＩＤを前記撮像装置に関する製品情報と関連付けて管理する管理ステップと、
前記製品情報を前記画像ファイルの属性情報から取得する取得ステップと、
前記取得ステップにおいて取得された製品情報が、前記管理ステップにおいて既に前記ユーザＩＤと関連付けて管理されているか否か判定する判定ステップとを備え、
前記管理ステップは、前記取得ステップにおいて取得された製品情報が前記管理ステップにおいて未だ前記ユーザＩＤと関連付けて管理されていないと前記判定ステップにおいて判定されたときに、前記ユーザＩＤをさらに前記取得手段により取得された製品情報と関連付けて管理することを特徴とするプログラム。
【手続補正２】
【補正対象書類名】明細書
【補正対象項目名】発明の名称
【補正方法】変更
【補正の内容】
【発明の名称】情報管理装置及びその制御方法、並びにプログラム
【手続補正３】
【補正対象書類名】明細書
【補正対象項目名】０００１
【補正方法】変更
【補正の内容】
【０００１】
本発明は、情報管理装置及びその制御方法、並びにプログラムに関する。特に、ユーザの持つ製品情報やデジタル画像データをインターネット等の通信環境を用いて接続されたコンピュータ装置で管理する情報管理装置及びその制御方法、並びにプログラムに関する。
【手続補正４】
【補正対象書類名】明細書
【補正対象項目名】０００６
【補正方法】変更
【補正の内容】
【０００６】
しかしながら、上記情報処理システムのようなユーザの意志による登録画面へのアクセスだけでは、登録に必要な情報をユーザが手動で入力しなければならず、操作に手間が掛かるため、より多くの製品情報を管理することができないという課題が生じている。
【手続補正５】
【補正対象書類名】明細書
【補正対象項目名】０００７
【補正方法】変更
【補正の内容】
【０００７】
本発明の目的は、ユーザが所有している製品情報の管理を容易に行うことができる情報管理装置及びその制御方法、並びにプログラムを提供することにある。
【手続補正６】
【補正対象書類名】明細書
【補正対象項目名】０００８
【補正方法】変更
【補正の内容】
【０００８】
上記目的を達成するために、請求項１記載の情報管理装置は、ユーザＩＤをユーザ端末から受信して認証し、撮像装置が被写体を撮影することにより得られた画像ファイルを前記ユーザ端末からネットワークを介して受信する情報管理装置であって、前記ユーザＩＤを前記撮像装置に関する製品情報と関連付けて管理する管理手段と、前記製品情報を前記画像ファイルの属性情報から取得する取得手段と、前記取得手段により取得された製品情報が、前記管理手段により既に前記ユーザＩＤと関連付けて管理されているか否か判定する判定手段とを備え、前記管理手段は、前記取得手段により取得された製品情報が前記管理手段により未だ前記ユーザＩＤと関連付けて管理されていないと前記判定手段により判定されたときに、前記ユーザＩＤをさらに前記取得手段により取得された製品情報と関連付けて管理することを特徴とする。
また、上記目的を達成するために、請求項８記載の情報管理装置の制御方法は、ユーザＩＤをユーザ端末から受信して認証し、撮像装置が被写体を撮影することにより得られた画像ファイルを前記ユーザ端末からネットワークを介して受信する情報管理装置の制御方法であって、前記ユーザＩＤを前記撮像装置に関する製品情報と関連付けて管理する管理ステップと、前記製品情報を前記画像ファイルの属性情報から取得する取得ステップと、前記取得ステップにおいて取得された製品情報が、前記管理ステップにおいて既に前記ユーザＩＤと関連付けて管理されているか否か判定する判定ステップとを備え、前記管理ステップは、前記取得ステップにおいて取得された製品情報が前記管理ステップにおいて未だ前記ユーザＩＤと関連付けて管理されていないと前記判定ステップにおいて判定されたときに、前記ユーザＩＤをさらに前記取得手段により取得された製品情報と関連付けて管理することを特徴とする。
また、上記目的を達成するために、請求項９記載のプログラムは、ユーザＩＤをユーザ端末から受信して認証し、撮像装置が被写体を撮影することにより得られた画像ファイルを前記ユーザ端末からネットワークを介して受信する情報管理装置の制御方法をコンピュータに実行させるためのプログラムであって、前記情報管理装置の制御方法は、前記ユーザＩＤを前記撮像装置に関する製品情報と関連付けて管理する管理ステップと、前記製品情報を前記画像ファイルの属性情報から取得する取得ステップと、前記取得ステップにおいて取得された製品情報が、前記管理ステップにおいて既に前記ユーザＩＤと関連付けて管理されているか否か判定する判定ステップとを備え、前記管理ステップは、前記取得ステップにおいて取得された製品情報が前記管理ステップにおいて未だ前記ユーザＩＤと関連付けて管理されていないと前記判定ステップにおいて判定されたときに、前記ユーザＩＤをさらに前記取得手段により取得された製品情報と関連付けて管理することを特徴とする。
【手続補正７】
【補正対象書類名】明細書
【補正対象項目名】０００９
【補正方法】変更
【補正の内容】
【０００９】
本発明によれば、取得された製品情報が未だユーザＩＤと関連付けて管理されていないと判定されたときにユーザＩＤをさらに当該取得された製品情報と関連付けて管理するので、操作に手間を掛けず、より多くの製品情報を管理することが可能となり、ユーザが所有している製品情報の管理を容易に行うことができる。